(57)【特許請求の範囲】
【請求項１】
吸気口と排気口とを持った筐体であって、前記吸気口から吸入される空気を前記排気口まで流す主流路が形成されている第１室と、第１仕切り壁を介して前記第１室に隣接配置された第２室と、前記第２室とは反対側の位置にて第２仕切り壁を介して前記第１室に隣接配置された第３室とを含み、前記第２室は密閉されている筐体
を備え、
前記第２仕切り壁には、前記第３室へ通じる第１通気口が設けられており、
前記吸気口から吸入される空気の一部を、前記第１通気口を通じて前記第３室へ流入させる第１副流路が形成されている、電気機器。
【請求項２】
前記第２仕切り壁には、前記第３室にて前記第１副流路を流れる空気を、前記第１通気口よりも前記排気口に近い位置にて前記第１室へ戻す第２通気口が設けられている、請求項１に記載の電気機器。
【請求項３】
前記第１室において前記吸気口に近い領域の方が前記排気口に近い領域よりも広くなる様に、前記第２仕切り壁には、前記第１室から前記第３室の方へ迫り出した段差部が形成されており、
前記第１通気口は、前記段差部に設けられている、請求項１又は２に記載の電気機器。
【請求項４】
前記第１室内に設置されており、前記主流路を流れる空気との熱交換により前記第２室内を冷却する第１フィンを更に備える、請求項１〜３の何れか１つに記載の電気機器。
【請求項５】
前記第１仕切り壁の少なくとも一部が前記第１フィンにより形成されている、請求項４に記載の電気機器。
【請求項６】
前記第１室内に設置されており、前記主流路を流れる空気との熱交換により前記第３室内を冷却する第２フィンを更に備え、
前記第１通気口は、前記第２フィンよりも前記吸気口に近い位置に配されている、請求項１〜５の何れか１つに記載の電気機器。
【請求項７】
前記第２仕切り壁の少なくとも一部が前記第２フィンにより形成されている、請求項６に記載の電気機器。
【請求項８】
前記筐体を構成している外壁の内面に前記第１仕切り壁及び前記第２仕切り壁が立設されており、
前記外壁のうちの前記主流路に接する部分には、前記筐体の外部へ通じる第３通気口が設けられており、
前記主流路を流れる空気の一部を、前記第３通気口を通じて外部へ導く第２副流路が更に形成されている、請求項１〜７の何れか１つに記載の電気機器。
【請求項９】
前記筐体内には、電源回路が構築されており、
前記電源回路は、前記第１室内に配された巻線と、前記第２室内に配された主回路と、前記第３室内に配された入出力回路とを含み、
前記入出力回路には、入出力端子と、前記電源回路内の配線とが含まれており、前記配線には、前記第１副流路の向きを変更させるガイド部が形成されている、請求項１〜８の何れか１つに記載の電気機器。
【発明の詳細な説明】
【技術分野】
【０００１】
本発明は、電源装置などの電気機器に関し、特に電気機器の冷却構造に関する。
【背景技術】
【０００２】
電気機器には、密閉による保護（塵埃等の異物からの保護）を要する第１電子回路が筐体内に構築されているものが多く存在する（例えば、特許文献１参照）。この様な電気機器は、第１電子回路を冷却するための冷却構造を有している。具体的には、吸気口と排気口とが筐体に設けられており、筐体は、吸気口から吸入される空気を排気口まで流す流路が形成されている第１室と、第１仕切り壁を介して第１室に隣接配置された第２室とを含んでいる。そして、第２室は密閉されており、その第２室内に第１電子回路が設置されている。又、第１室内には、上記流路を流れる空気との熱交換により第２室内を冷却するフィンが設置されている。
【０００３】
上述した電気機器では、更に、塵埃等の異物からの保護を第１電子回路ほどは必要としない（即ち、密閉を必要としない）が適度な冷却を要する第２電子回路が筐体内に構築されていることがある。この場合、第２電子回路は、次の様に冷却される。一例として、第２電子回路は、第１室内に設置され、吸気口から第１室内に直接的に吸入された外気（即ち、上記流路を流れる空気）により冷却される。他の例として、第２電子回路は、筐体内に設けられた別室に設置され、別の吸気口から別室内に直接的に吸入された外気により冷却される。
【先行技術文献】
【特許文献】
【０００４】
【特許文献１】特開２０１５−１３３３４５号公報
【発明の概要】
【発明が解決しようとする課題】
【０００５】
しかしながら、上述した電気機器では、第２電子回路に外気が直接的且つ大量に吹き付けられることになる。このため、第２電子回路が効率良く冷却されはするものの、次の様な問題の発生が懸念される。即ち、電子回路に悪影響を及ぼす物質が外気に含まれていた場合、第２電子回路に外気が直接的且つ大量に吹き付けられたとすれば、第２電子回路に悪影響が及び易くなる。延いては、電気機器の故障に繋がる虞がある。
【０００６】
そこで本発明の目的は、外気を利用して筐体内を冷却する電気機器において、筐体内を効率良く冷却すると共に、外気がもたらし得る悪影響を抑えることである。
【課題を解決するための手段】
【０００７】
本発明に係る電気機器は、吸気口と排気口とを持った筐体を備える。筐体は、吸気口から吸入される空気を排気口まで流す主流路が形成されている第１室と、第１仕切り壁を介して第１室に隣接配置された第２室と、第２室とは反対側の位置にて第２仕切り壁を介して第１室に隣接配置された第３室とを含み、第２室は密閉されている。そして、第２仕切り壁には、第３室へ通じる第１通気口が設けられている。この様な構成により、電気機器には、吸気口から吸入される空気の一部を、第１通気口を通じて第３室へ流入させる第１副流路が形成されている。
【０００８】
上記電気機器によれば、吸気口から吸入される空気の一部を利用して、第３室を冷却することができる。又、吸気口から吸入される空気の一部が、第１室から第１通気口を通じて第３室内へ流れ込むので、電気機器への悪影響を抑えることのできる適度な量の空気が第３室に送り込まれることになる。
【発明の効果】
【０００９】
本発明に係る電気機器によれば、筐体内を効率良く冷却すると共に、外気がもたらし得る悪影響を抑えることができる。
【図面の簡単な説明】
【００１０】
【図１】本発明の実施形態である電源装置を（ａ）正面側及び（ｂ）背面側のそれぞれから見て示した斜視図である。
【図２】電源装置の内部構成を部分的に示した横断面図である。
【図３】電源装置のうちの吸気口近傍の部分を示した破断斜視図である。
【図４】電源装置のうちの排気口近傍の部分を示した破断斜視図である。
【図５】変形例に係る電源装置の内部構成を部分的に示した横断面図である。
【図６】電源装置の複数を積み重ねて構築される電源システムの一例を示した斜視図である。
【図７】電源システムを部分的に示した縦断面図である。
【発明を実施するための形態】
【００１１】
本発明を電源装置に適用した実施形態について、図面に沿って具体的に説明する。図１（ａ）及び（ｂ）は、本発明の実施形態である電源装置を正面側及び背面側のそれぞれから見て示した斜視図である。図１（ａ）及び（ｂ）に示される様に、電源装置は、吸気口１ａと排気口１ｂとを持った筐体１を備える。筐体１は、箱型を呈した外壁として、前壁１０Ａと、後壁１０Ｂと、左右の側壁１０Ｃ及び１０Ｄと、天壁１０Ｅと、底壁１０Ｆとを有する。
【００１２】
図２は、電源装置の内部構成を部分的に示した横断面図である。図２に示される様に、筐体１内には、第１室１１と、第２室１２と、第３室１３とが形成されている。
【００１３】
具体的には、前壁１０Ａから後壁１０Ｂまで延びた第１仕切り壁１４Ａ及び第２仕切り壁１４Ｂが、互いに対向した状態で底壁１０Ｆの内面に立設されている。そして、第１室１１〜第３室１３の全ての天井が天壁１０Ｅにより構成され、第１室１１〜第３室１３の全ての床が底壁１０Ｆにより構成されている。より具体的には、以下の通りである。
【００１４】
吸気口１ａは、前壁１０Ａに形成されると共に、第１室１１内に外気を直接的に吸入することが可能となる位置に配されている。本実施形態において、吸気口１ａには、複数のスリットを持ったカバー８が取り付けられている（図１（ａ）参照）。
【００１５】
排気口１ｂは、後壁１０Ｂに形成されると共に、第１室１１内の空気を外部へ直接的に排出することが可能となる位置に配されている。本実施形態において、排気口１ｂは、後壁１０Ｂに形成された複数の貫通孔から構成されている。
【００１６】
後述する様に、第１室１１において、前壁１０Ａ（又は後壁１０Ｂ）に沿う方向Ｄ１における第１仕切り壁１４Ａから第２仕切り壁１４Ｂまでの距離は、前壁１０Ａに近い領域での距離Ｌ１が後壁１０Ｂに近い領域での距離Ｌ２よりも大きくなる様に設定されている（Ｌ１＞Ｌ２）。そして、吸気口１ａは、排気口１ｂよりも横幅（方向Ｄ１における全幅）が大きくなる様に形成されている。
【００１７】
第１室１１は、天壁１０Ｅと、底壁１０Ｆと、第１仕切り壁１４Ａと、第２仕切り壁１４Ｂとで囲まれており、これらの壁により、吸気口１ａから吸入される空気を排気口１ｂまで流す主流路２１が形成されている。
【００１８】
図２に示される様に、電源装置は、ファン３と、第１フィン５１と、第２フィン５２とを更に備え、これらが第１室１１に設置されている。ここで、ファン３は、第１室１１内の位置であって且つ吸気口１ａ近傍の位置に設置されており、吸気口１ａから第１室１１内へ空気を吸入する。尚、吸気口１ａから第１室１１内への空気の吸入が実現されるのであれば、ファン３は、第１室１１内の他の位置に設置されてもよいし、筐体１外の位置に設置されてもよい。
【００１９】
そして、ファン３の駆動により吸気口１ａから吸入された空気は、第１フィン５１及び第２フィン５２内を通過する。この様に第１室１１内を空気が流れることにより、直接的、又は第１フィン５１及び第２フィン５２を介して間接的に、筐体１内の回路や部品等が冷却される。間接的に冷却される対象として、後述する様に第２室１２内にて第１フィン５１に取り付けられた主回路４１や、第３室１３にて第２フィン５２に取り付けられた回路や部品等が挙げられる。尚、第１フィン５１及び第２フィン５２の詳細については後述する。
【００２０】
第２室１２は、筐体１を構成している外壁のうちの側壁１０Ｄを除く壁と、第１仕切り壁１４Ａとで囲まれており、これらの壁により密閉されている。即ち、第２室１２は、第１仕切り壁１４Ａを介して第１室１１に隣接配置されると共に、密閉されている。よって、第２室１２は、防塵性能を有している。
【００２１】
第３室１３は、筐体１を構成している外壁のうちの側壁１０Ｃを除く壁と、第２仕切り壁１４Ｂとで囲まれている。即ち、第３室１３は、第２室１２とは反対側の位置にて第２仕切り壁１４Ｂを介して第１室１１に隣接配置されている。
【００２２】
図３は、電源装置のうちの吸気口１ａ近傍の部分を示した破断斜視図である。又、図４は、電源装置のうちの排気口１ｂ近傍の部分を示した破断斜視図である。尚、図３及び図４では、ファン３、電源回路、第１フィン５１、及び第２フィン５２（図２参照）の図示が選択的に省略されている。図２〜図４に示される様に、第２仕切り壁１４Ｂには、第１室１１から第３室１３の方へ迫り出した段差部１５０と、段差部１５０から前壁１０Ａまで拡がる第１平坦部１５１と、段差部１５０から後壁１０Ｂまで拡がる第２平坦部１５２とが形成されている。
【００２３】
図２に示される様に、第１平坦部１５１は、第１仕切り壁１４Ａに対して略平行に配されると共に、方向Ｄ１における第１仕切り壁１４Ａからの距離Ｌ１が吸気口１ａの横幅と略同一か又はそれより大きくなる位置に配されている。第２平坦部１５２は、第１仕切り壁１４Ａに対して略平行に配されると共に、方向Ｄ１における第１仕切り壁１４Ａからの距離Ｌ２が排気口１ｂの横幅と略同一か又はそれより大きくなる位置に配されている。そして、第１平坦部１５１及び第２平坦部１５２は、距離Ｌ１が距離Ｌ２より大きくなる様に配されており、且つ、段差部１５０を介して互いに連接されている。
【００２４】
従って、第１室１１のうちの吸気口１ａに近い領域（前壁１０Ａから段差部１５０までの領域）が、第３室１３の方へ迫り出している。この様に、段差部１５０は、第１室１１において吸気口１ａに近い領域の方が排気口１ｂに近い領域よりも広くなる様に形成されている。尚、段差部１５０は、第１平坦部１５１及び第２平坦部１５２に対して略垂直な姿勢となる様に形成されてもよいし、その様な姿勢から傾いた姿勢となる様に形成されてもよい。本実施形態では、後者の姿勢が採用されている（図２及び図３参照）。一例として、段差部１５０は、第２仕切り壁１４Ｂを構成している平板をクランク状に屈曲変形させることにより形成されたものである。
【００２５】
そして、吸気口１ａは、電源装置を前壁１０Ａの方から見たときに（即ち、正面視において）第３室１３に部分的に重なる様に形成されている。より具体的には、正面視において、第１仕切り壁１４Ａ、第２平坦部１５２、及び第１平坦部１５１が前壁１０Ａと重なる位置をそれぞれ位置Ｐ１、Ｐ２、及びＰ３（図２参照）としたとき、吸気口１ａは、位置Ｐ１又はその近傍の位置から、位置Ｐ２を越えて、位置Ｐ３又はその近傍の位置まで拡がっている。
【００２６】
図２及び図３に示される様に、段差部１５０には、第３室１３へ通じる第１通気口６ａが設けられている。これにより、筐体１内には、吸気口１ａから吸入される空気の一部を、第１通気口６ａを通じて第３室１３へ流入させる第１副流路２２が形成されている（図２参照）。ここで、吸気口１ａは、上述した様に、正面視において第３室１３に部分的に重なる様に形成されている。よって、吸気口１ａから吸入される空気を、部分的に第３室１３へ流入させることが可能になっている。
【００２７】
本実施形態において、第１通気口６ａは、１つの矩形状の開口から構成されている。そして、第１通気口６ａの開口面積を調整することにより、第３室１３へ送り込む空気の量を調整することができる。尚、第１通気口６ａの構成は、これに限定されるものではなく、種々の変形が可能である。一例として、第１通気口６ａは、縦又は横に一列又は複数列に配された複数の開口（例えば、矩形状の開口）から構成されていてもよい。又、開口面積だけでなく第１通気口６ａの形状や配置（開口の配置）を調整することにより、第３室１３へ送り込む空気の量を調整することができる。
【００２８】
本実施形態では、第１通気口６ａが、段差部１５０から更に第２平坦部１５２にまで拡げられている（図２及び図３参照）。これにより、後述する第１巻線４０Ａを、第１通気口６ａに通すと共に、第１室１１から第３室１３に亘って配置することが可能となっている。
【００２９】
図２及び図４に示される様に、第２平坦部１５２には、第３室１３にて第１副流路２２を流れる空気を、排気口１ｂに近い位置にて第１室１１へ戻す第２通気口６ｂが設けられている。本実施形態では、第２通気口６ｂは、後壁１０Ｂに近い位置にて第２平坦部１５２に設けられている。第３室１３にて第１副流路２２を流れる空気は、第２通気口６ｂを通じて排気口１ｂに導かれ、主流路２１を流れる空気と共に排気口１ｂから排出される。
【００３０】
更に、図２及び図３に示される様に、底壁１０Ｆのうちの主流路２１に接する部分（即ち、第１室１１を構成している部分）には、筐体１の外部へ通じる第３通気口６ｃが設けられている。これにより、筐体１には、吸気口１ａから吸入される空気の一部を、第３通気口６ｃを通じて外部（筐体１の下側）へ導く第２副流路２３が形成されている（図２及び図７参照）。一例として、第３通気口６ｃは、底壁１０Ｆの一部に切起し加工を施すことにより形成されたものである。
【００３１】
本実施形態では、第３通気口６ｃは、吸気口１ａに近い位置に形成されている。又、第３通気口６ｃは、ファン３の横幅方向と略同一の方向（本実施形態では方向Ｄ１と略同一の方向）へファン３と略平行に延びると共に、平面視（図２参照）において全体がファン３と対向する様に形成されている。尚、第３通気口６ｃは、全体が吸気口１ａと対向する様に配されてもよい。又、第３通気口６ｃは、底壁１０Ｆのうちの主流路２１に接する部分であれば、吸気口１ａから離れた位置に形成されてもよい。
【００３２】
図２に示される様に、電源装置は、筐体１内に構築された電源回路を更に備える。電源回路は、第１巻線４０Ａと、第２巻線４０Ｂと、主回路４１と、入出力回路４２と、制御回路（図示せず）とを含む。第１巻線４０Ａは、第１通気口６ａに通されると共に、第１室１１から第３室１３に亘って配置されている。よって、第１巻線４０Ａは、前壁１０Ａに近い位置にて第１室１１から第３室１３にかけて配されている。第２巻線４０Ｂは、第１室１１内の後壁１０Ｂに近い位置において、排気口１ｂに対向した状態で配されている。主回路４１は、密閉されている第２室１２内に配されている。入出力回路４２は、第３室１３内に配されている。尚、主回路４１及び入出力回路４２については、部分的に構成部品の図示が省略されている。制御回路（図示せず）は、密閉されている第２室１２内に主回路４１と共に配されている。
【００３３】
主回路４１は、平滑回路やコンバータ回路等を含み、これらの回路には、スイッチ素子４１１等、塵埃等の異物からの保護を要する多くの精密部品が含まれている。よって、主回路４１は、密閉されて防塵性能を持った第２室１２内に配されている。又、主回路４１の動作時において、主にスイッチ素子４１１が発熱を伴う。このため、主回路４１は冷却を要する。そこで、電源装置は、以下の様な構成を有している。
【００３４】
図２に示される様に、第１仕切り壁１４Ａには第１開口７１が形成されており、第１開口７１を隙間なく閉塞すべく、第１フィン５１が、その平坦面を第１仕切り壁１４Ａに密着させた状態で第１室１１内に設置されている。即ち、第１仕切り壁１４Ａの第１室１１側の面に、第１フィン５１が密着固定されている。よって、第２室１２において、第１仕切り壁１４Ａと第１フィン５１（主に平坦面）とにより、内部が外気から遮断された状態（密閉された状態）が維持されている。即ち、第２室１２を密閉する構造の一部を、第１フィン５１が担っている。
【００３５】
第１フィン５１は、主流路２１を流れる空気との熱交換により第２室１２内を冷却する。具体的には、スイッチ素子４１１（主な熱発生源）が、第１フィン５１の平坦面（第１仕切り壁１４Ａに密着した面）のうちの第１開口７１から露出した部分に、直接的に固着されている。よって、スイッチ素子４１１が、主な冷却対象として、第１フィン５１を通じて冷却される。尚、第１仕切り壁１４Ａが熱伝導性を有する場合、第１開口７１がなくても、第１仕切り壁１４Ａを介して第２室１２内を冷却することが可能である。この場合、第１仕切り壁１４Ａの第１室１１側の面に第１フィン５１を密着させると共に、第１仕切り壁１４Ａの第２室１２側の面に、スイッチ素子４１１等の精密部品や、主回路４１等が搭載された基板などを密着させることが好ましい。
【００３６】
入出力回路４２には、入出力端子４２１、及び電源回路内の配線４２２などが含まれている。そして、入出力端子４２１は、後壁１０Ｂのうちの第３室１３を構成している部分から外部に引き出されている。配線４２２は、電源回路の構築に必要な部品や回路間の接続を担うものである。そして、入出力回路４２は、塵埃等の異物からの保護を主回路４１ほどは必要としないが、適度な冷却を要する。そこで、第３室１３内に入出力回路４２が配されると共に、電源装置は、以下の様な構成を更に有している。
【００３７】
図２〜図４に示される様に、第２仕切り壁１４Ｂの第２平坦部１５２には第２開口７２が形成されており、第２開口７２を閉塞すべく（部分的に隙間が生じてもよい）、第２フィン５２が、その平坦面を第２平坦部１５２に密着させた状態で第１室１１内に設置されている。即ち、第２平坦部１５２の第１室１１側の面に、第２フィン５２が密着固定されている。一方、第２フィン５２は、第１通気口６ａ及び第２通気口６ｂを塞ぐことがない様に、その長さや設置位置が決められている。即ち、第１通気口６ａは、第２フィン５２よりも吸気口１ａに近い位置に配され、第２通気口６ｂは、第２フィン５２よりも排気口１ｂに近い位置に配されている。よって、第３室１３へ入る空気の流れが第２フィン５２によって妨げられることがない。又、第１副流路２２を流れる空気の殆どは、第２開口７２から漏れ出すことなく第２通気口６ｂまで導かれる。即ち、第１副流路２２を形成する構造の一部を、第２フィン５２が担っている。
【００３８】
第２フィン５２は、主流路２１を流れる空気との熱交換により第３室１３内を冷却する。具体的には、配線４２２に含まれる接続端子等（熱発生源）が、第２フィン５２の平坦面（第２仕切り壁１４Ｂに密着した面）のうちの第２開口７２から露出した部分に、直接的に固着されている。よって、配線４２２が、冷却対象として、第２フィン５２を通じて冷却される。尚、第２仕切り壁１４Ｂが熱伝導性を有する場合、第２開口７２がなくても、第２仕切り壁１４Ｂを介して第３室１３内を冷却することが可能である。この場合、第２仕切り壁１４Ｂの第１室１１側の面に第２フィン５２を密着させると共に、第２仕切り壁１４Ｂの第３室１３側の面に、配線４２２に含まれる接続端子等を密着させることが好ましい。
【００３９】
更に、第３室１３内に配された入出力回路４２は、第１副流路２２を流れる空気により直接的に冷却される。よって、第１副流路２２を通じて直接的に、且つ第２フィン５２を介して間接的に、第３室１３内が冷却される。
【００４０】
この様に、塵埃等の異物からの保護を要する精密部品は、密閉されて防塵性能を持った第２室１２内に配される。一方、異物からの保護を精密部品ほどは必要としない、巻線や端子、配線等は、異物からの保護や冷却をどの程度必要とするのかに応じて、第１室１１又は第３室１３に選択的に配される。そして、第１フィン５１及び第２フィン５２が、第１室１１にて主流路２１を流れる空気との熱交換を行うことにより、これらのフィンに取付け又は密着固定された部品や回路が間接的に冷却される。又、主流路２１を流れる空気が第１室１１内を通過し、又、第１副流路２２を流れる空気が第３室１３内を通過することにより、第１室１１及び第３室１３内に配された回路や部品等が直接的に冷却される。
【００４１】
具体的には、主流路２１を流れる空気は、主流路２１内に配置された第１巻線４０Ａの冷却と第１フィン５１及び第２フィン５２内の通過とを経て、主流路２１内に配置された第２巻線４０Ｂに吹き付けられ、その後、排気口１ｂから排出される。これにより、第１巻線４０Ａ及び第２巻線４０Ｂが直接的に冷却されると共に、第２室１２内の主回路４１及び第３室１３内の入出力回路４２がそれぞれ第１フィン５１及び第２フィン５２を介して間接的に冷却される。又、吸気口１ａから吸入された空気の一部が、主流路２１から第１副流路２２が分岐する箇所に配置されている第１巻線４０Ａに吹き付けられた後、第１通気口６ａを通じて第３室１３内へ導かれる。そして、第３室１３内の第１副流路２２を流れる空気は、第３室１３内の入出力回路４２を直接的に冷却し、その後、第２通気口６ｂを通じて第１室１１に一旦戻った後、排気口１ｂから排出される。
【００４２】
第１巻線４０Ａ及び第２巻線４０Ｂは、塵埃等の異物からの保護が不要で且つ耐腐食性を持った部品であり、動作時に発熱を伴うものである。そして、この様な部品は、吸気口１ａから吸入された空気を直接的且つ大量に吹き付けて冷却することが可能であるので、第１室１１に配される。
【００４３】
上記電源装置によれば、吸気口１ａから吸入される空気の一部が、第１室１１から第１通気口６ａを通じて第３室１３内へ流れ込むので、電源装置（主に入出力回路４２）への悪影響を抑えることのできる適度な量の空気が第３室１３に送り込まれることになる。よって、筐体１内を効率良く冷却すると共に、外気がもたらし得る悪影響を抑えることができる。そして、上記電源装置では、第３室１３に送り込まれる空気の量を最適化するべく、第１通気口６ａの開口面積や形状等を調整することが可能である。
【００４４】
又、上記電源装置においては、第１巻線４０Ａが、第１通気口６ａに通されると共に、第１室１１から第３室１３に亘って配置されている。即ち、第１巻線４０Ａは、主流路２１から第１副流路２２が分岐する箇所（第１副流路２２の入口）に配置されている。従って、吸気口１ａから吸入された空気が第１巻線４０Ａによって部分的に受け止められ、その結果として、第１通気口６ａを通じて第３室１３に流れ込む空気の勢いが弱められる。よって、第１副流路２２には、空気が緩やかに流れる。即ち、第１副流路２２には、第３室１３内を冷却する上で適度な量の空気が流れることになる。
【００４５】
この様に、吸気口１ａから吸入された空気を、塵埃等の異物からの保護が不要で且つ耐腐食性を持った部品（本実施形態では第１巻線４０Ａ）で受け止めることにより、その部品に空気中の異物を付着させることもできる。よって、第３室１３への異物の流入を防止することができる。尚、異物を付着させるものとして、巻線等の電気部品に代えて、空気を受け止めることのできる何らかの障害物が設置されてもよい。
【００４６】
図２に示される様に、本実施形態では、配線４２２には、板状のバスバー４２２ａが含まれている。そして、バスバー４２２ａは、第２平坦部１５２と略平行に配されると共に入出力端子４２１に接続されている。この様に配されたバスバー４２２ａと第２仕切り壁１４Ｂ（第２開口７２を塞ぐ第２フィン５２を含む）とにより、第１副流路２２を流れる空気が第２通気口６ｂへ導かれる。
【００４７】
図５に示される様に、第３室１３内を流れる空気を第２通気口６ｂへ誘導すべく、バスバー４２２ａには、これを屈曲させることで形成されたガイド部４２２ｂが設けられていてもよい。尚、ガイド部４２２ｂは、湾曲状に滑らかに曲がったものであってもよい。これにより、第２通気口６ｂに近い位置において、第１副流路２２の向きを第２通気口６ｂへ向かう方向へ変更することができる。この様な構成によれば、第１副流路２２を流れる空気を効率良く排気口１ｂへ導くことが可能になる。
【００４８】
又、上記電源装置において、配線４２２には、第１副流路２２の途中でこれと交差する交差部が設けられていてもよい。この様な構成によれば、交差部を迂回して空気が流れるので、入出力回路４２に含まれている電子部品等に空気が直接的に吹き付けられることが防止される。
【００４９】
上記電源装置によれば、吸気口１ａから吸入される空気の一部を利用して、第３室１３を冷却することができる。よって、第３室１３を冷却するためのファンを別途に設ける必要がなく、従って電源装置の小型化や軽量化が実現される。即ち、上記電源装置が持つ冷却構造は、次の２つの部分が筐体１内に構築されている電気機器において特に適している。即ち、１つ目の部分は、精密部品を含み、密閉による保護（塵埃等の異物からの保護）と共に冷却を要する部分（本実施形態において主回路４１や制御回路）である。２つ目の部分は、第２室１２内に配された回路や部品ほどには外気から遮断する必要はないが、第１室１１に配された部品よりは異物からの保護を必要とし、且つ冷却を要する部分（本実施形態において入出力回路４２）である。
【００５０】
図６は、上記電源装置の複数を積み重ねて構築される電源システムの一例を示した斜視図である。又、図７は、電源システムを部分的に示した縦断面図である。上述した様に、底壁１０Ｆには第３通気口６ｃが設けられている。そして、第１室１１から第３通気口６ｃを通じて筐体１の下側へ導かれた空気は、図７に示される様に第２副流路２３を形成すると共に、直下に配されている電源装置の天壁１０Ｅに吹き付けられる。これにより、直下の電源装置が冷却される。この様に、第３通気口６ｃから排出された空気が、隣り合う電源装置間に形成された隙間１６に流れ込むことにより、その隙間１６での熱の滞留が解消され、その結果として、電源装置の各々が効率良く冷却されることになる。即ち、第２副流路２３は、上記電源装置の複数を積み重ねて構築される電源システムの冷却に用いられる。
【００５１】
尚、第３通気口６ｃは、第３室１３を構成している側壁１０Ｄに設けられていてもよい。この場合、第２副流路２３は、第１副流路２２を流れる空気の一部を、第３通気口６ｃを通じて外部（筐体１の右側又は左側）へ導く流路として、筐体１に形成されることになる。この様な構成によれば、電源装置の複数を横並びに配して構築された電源システムにおいて、電源装置の各々を効率良く冷却することが可能になる。
【００５２】
上記電源装置は、第２フィン５２を持たない構成を有していてもよい。この場合、第２仕切り壁１４Ｂに熱伝導性を持たせることにより、第２仕切り壁１４Ｂが、第２フィン５２に代わる熱交換部として用いられることが好ましい。第２仕切り壁１４Ｂだけでなく、第１仕切り壁１４Ａにも熱伝導性を持たせることにより、第１仕切り壁１４Ａ及び第２仕切り壁１４Ｂがそれぞれ、第１フィン５１及び第２フィン５２に代わる熱交換部として用いられてもよい。
【００５３】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【００５４】
例えば、上記電源装置が持つ冷却構造の各部構成は、電源装置に限らず、種々の電気機器に適用することができる。
【符号の説明】
【００５５】
１  筐体
１ａ  吸気口
１ｂ  排気口
３  ファン
６ａ  第１通気口
６ｂ  第２通気口
６ｃ  第３通気口
８  カバー
１０Ａ  前壁
１０Ｂ  後壁
１０Ｃ、１０Ｄ  側壁
１０Ｅ  天壁
１０Ｆ  底壁
１１  第１室
１２  第２室
１３  第３室
１４Ａ  第１仕切り壁
１４Ｂ  第２仕切り壁
１６  隙間
２１  主流路
２２  第１副流路
２３  第２副流路
４０Ａ  第１巻線
４０Ｂ  第２巻線
４１  主回路
４２  入出力回路
５１  第１フィン
５２  第２フィン
７１  第１開口
７２  第２開口
１５０  段差部
１５１  第１平坦部
１５２  第２平坦部
４１１  スイッチ素子
４２１  入出力端子
４２２  配線
４２２ａ  バスバー
４２２ｂ  ガイド部
Ｄ１  方向
Ｌ１、Ｌ２  距離
Ｐ１、Ｐ２、Ｐ３  位置
【図１】
0006615630.tif 000002
【図２】
0006615630.tif 000003
【図３】
0006615630.tif 000004
【図４】
0006615630.tif 000005
【図５】
0006615630.tif 000006
【図６】
0006615630.tif 000007
【図７】
0006615630.tif 000008